(57)【特許請求の範囲】
【請求項１】
店舗内に設置され、店舗外の第三者により貨幣の補充処理が行われる貨幣処理装置において、
貨幣を補充するための補充部と、
補充された前記貨幣を収納するとともに、収納された該貨幣を必要に応じて繰り出す貨幣収納部と、
前記貨幣収納部から繰り出された前記貨幣を出金するための出金部と、
前記貨幣収納部に貨幣が補充される際または補充された後に、該貨幣の少なくとも金種別の数量を確認する補充量確認部と、
前記補充量確認部で確認された前記貨幣の金種別の数量を出力する確認結果出力部と、
前記第三者へ依頼した補充予定の貨幣の金種別の数量を記憶する記憶部と、
前記補充量確認部で確認された前記貨幣の金種別の数量と、前記記憶部に記憶された前記補充予定の貨幣の金種別の数量とが合致するかを確認する照合部と、
を備えたことを特徴とする貨幣処理装置。
【請求項２】
店舗内に設置され、店舗外の第三者により貨幣の補充処理が行われる貨幣処理装置において、
貨幣を補充するための補充部と、
補充された前記貨幣を収納するとともに、収納された該貨幣を必要に応じて繰り出す貨幣収納部と、
前記貨幣収納部から繰り出された前記貨幣を出金するための出金部と、
前記貨幣収納部に貨幣が補充される際または補充された後に、該貨幣の少なくとも金種別の数量を確認する補充量確認部と、
前記補充量確認部で確認された前記貨幣の金種別の数量を出力する確認結果出力部と、
前記第三者が依頼された補充予定の貨幣の金種別の数量を記憶する記憶部と、
前記補充量確認部で確認された前記貨幣の金種別の数量と、前記記憶部に記憶された前記補充予定の貨幣の金種別の数量とが合致するかを確認する照合部と、
を備えたことを特徴とする貨幣処理装置。
【請求項３】
店舗内に設置され、店舗外の第三者により貨幣の補充処理が行われる貨幣処理装置において、
貨幣を補充するための補充部と、
補充された前記貨幣を収納するとともに、収納された該貨幣を必要に応じて繰り出す貨幣収納部と、
前記貨幣収納部から繰り出された前記貨幣を出金するための出金部と、
前記貨幣収納部に貨幣が補充される際または補充された後に、該貨幣の少なくとも金種別の数量を確認する補充量確認部と、
前記補充量確認部で確認された前記貨幣の金種別の数量を出力する確認結果出力部と、
補充日に応じて予め定められた補充予定の貨幣の金種別の数量を記憶する記憶部と、
前記補充量確認部で確認された前記貨幣の金種別の数量と、前記記憶部に記憶された前記補充予定の貨幣の金種別の数量とが合致するかを確認する照合部と、
を備えたことを特徴とする貨幣処理装置。
【請求項４】
前記補充量確認部は、前記貨幣を補充した後で前記貨幣収納部を精査することで該貨幣の金種別の数量を検出することを特徴とする請求項１乃至３のいずれか１項に記載の貨幣処理装置。
【請求項５】
前記貨幣は硬貨であり、
前記貨幣収納部は、棒金を整列させて収納する棒金収納トレーを有し、
前記補充量確認部は、前記棒金収納トレーに沿って走査されて該棒金収納トレーに収納された棒金の金種別の数量を検出するセンサを有することを特徴とする請求項４に記載の貨幣処理装置。
【請求項６】
前記補充部から補充された貨幣を一枚ずつ繰り出す貨幣操出部をさらに備え、
前記補充量確認部は、前記貨幣操出部で繰り出された貨幣を金種別に計数し、前記貨幣収納部に補充された貨幣の金種別の数量を確認することを特徴とする請求項１乃至３のいずれか１項に記載の貨幣処理装置。
【請求項７】
前記確認結果出力部は、確認された貨幣の金種別の数量を印字出力する印字部、確認された貨幣の金種別の数量を表示する表示部、または、確認された貨幣の金種別の数量を送信する送信部の少なくとも１つであることを特徴とする請求項１乃至６のいずれか１項に記載の貨幣処理装置。
【請求項８】
前記確認結果出力部による出力が終了しないと前記補充処理を終了できないことを特徴とする請求項１乃至７のいずれか１項に記載の貨幣処理装置。
【請求項９】
前記補充予定の貨幣の金種別の数量は記憶媒体に記憶され、
前記照合部は、前記補充量確認部で確認された前記貨幣の金種別の数量と、前記記憶媒体に記憶された前記補充予定の貨幣の金種別の数量とが合致するかを確認することを特徴とする請求項２に記載の貨幣処理装置。
【請求項１０】
前記補充量確認部で確認された前記貨幣の金種別の数量と前記補充予定の貨幣の金種別の数量とが合致しないときに、該補充量確認部で確認された該貨幣の金種別の数量と該補充予定の貨幣の金種別の数量との差異を出力する差異出力部をさらに備えたことを特徴とする請求項１乃至９のいずれか１項に記載の貨幣処理装置。
【請求項１１】
前記差異出力部は、前記差異を印字出力する印字部、該差異を表示する表示部、または、該差異を送信する送信部の少なくとも１つであることを特徴とする請求項１０に記載の貨幣処理装置。
【請求項１２】
所定期間内の前記差異を集計する集計部をさらに備えたことを特徴とする請求項１０または１１のいずれかに記載の貨幣処理装置。
【請求項１３】
前記補充量確認部で確認された貨幣の合計金額が補充予定の貨幣の合計金額より多いときに、該補充量確認部で確認された貨幣の合計金額から該補充予定の貨幣の合計金額を引いた金額の貨幣を出金することを特徴とする請求項１乃至１２のいずれか１項に記載の貨幣処理装置。
【請求項１４】
前記補充量確認部で確認された貨幣の合計金額が補充予定の貨幣の合計金額より少ないときに、該補充予定の貨幣の合計金額から該補充量確認部で確認された貨幣の合計金額を引いた金額の貨幣を補充可能とすることを特徴とする請求項１乃至１３のいずれか１項に記載の貨幣処理装置。
【発明の詳細な説明】
【技術分野】
【０００１】
本発明は、貨幣の入出金処理を行う貨幣処理装置に関する。
【背景技術】
【０００２】
店舗外の第三者である警備会社が警備・現送運用を行っている店舗において、貨幣処理装置内の売上金の回収や釣銭準備金の補充は、警備会社の担当者と店舗責任者の双方が立会いの下で行われている。
【０００３】
この点、従来から、店舗と警備会社との間で釣銭準備金の授受を滞ることなく行なうことができる売上金入金機が知られている（例えば、特許文献１参照）。このような売上金入金機によれば、警備会社が釣銭準備金の入ったカセットを店舗に設置されている売上金入金機へセットし、その後、店舗責任者が釣銭準備金の入ったカセットを売上金入金機から取り出して、過不足が無いことを確認することで、釣銭準備金の受け渡しを行うこととなる。
【先行技術文献】
【特許文献】
【０００４】
【特許文献１】特許第３３４０１７６号
【発明の概要】
【発明が解決しようとする課題】
【０００５】
しかしながら、このような従来の売上金入金機では、警備会社が間違えたカセット（例えば、別の店舗の売上金入金機にセットすべきカセット）を売上金入金機にセットする可能性があった。また、このように間違えたカセットを売上金入金機にセットした場合であっても、店舗側の責任者が補充された釣銭準備金の過不足の有無を確認するまで、間違いに気づけないという問題もある。
【０００６】
本発明は、このような点を考慮してなされたものであり、店舗側の責任者の立会いがなくても貨幣を補充することができ、かつ、貨幣を補充する段階で補充する貨幣の過不足を無くすことができる貨幣処理装置を提供することを目的とする。
【課題を解決するための手段】
【０００７】
本発明による貨幣処理装置は、
店舗内に設置され、店舗外の第三者により貨幣の補充処理が行われる貨幣処理装置であって、
貨幣を補充するための補充部と、
補充された前記貨幣を収納するとともに、収納された該貨幣を必要に応じて繰り出す貨幣収納部と、
前記貨幣収納部から繰り出された前記貨幣を出金するための出金部と、
前記貨幣収納部に貨幣が補充される際または補充された後に、該貨幣の少なくとも金種別の数量を確認する補充量確認部と、
前記補充量確認部で確認された前記貨幣の金種別の数量を出力する確認結果出力部と、
を備えている。
【０００８】
本発明による貨幣処理装置において、
前記補充量確認部は、前記貨幣を補充した後で前記貨幣収納部を精査することで該貨幣の金種別の数量を検出してもよい。
【０００９】
本発明による貨幣処理装置において、
前記貨幣は硬貨であり、
前記貨幣収納部は、棒金を整列させて収納する棒金収納トレーを有し、
前記補充量確認部は、前記棒金収納トレーに沿って走査されて該棒金収納トレーに収納された棒金の金種別の数量を検出するセンサを有してもよい。
【００１０】
本発明による貨幣処理装置は、
前記補充部から補充された貨幣を一枚ずつ繰り出す貨幣操出部をさらに備え、
前記補充量確認部が、前記貨幣操出部で繰り出された貨幣を金種別に計数し、前記貨幣収納部に補充された貨幣の金種別の数量を確認してもよい。
【００１１】
本発明による貨幣処理装置において、
前記確認結果出力部は、確認された貨幣の金種別の数量を印字出力する印字部、確認された貨幣の金種別の数量を表示する表示部、または、確認された貨幣の金種別の数量を送信する送信部の少なくとも１つからなってもよい。
【００１２】
本発明による貨幣処理装置において、
前記確認結果出力部による出力が終了しないと前記補充処理を終了できないようにしてもよい。
【００１３】
本発明による貨幣処理装置は、
前記補充量確認部で確認された前記貨幣の金種別の数量と、前記第三者へ依頼した補充予定の貨幣の金種別の数量とが合致するかを確認する照合部をさらに備えてもよい。
【００１４】
本発明による貨幣処理装置は、
前記補充量確認部で確認された前記貨幣の金種別の数量と、前記第三者が依頼された補充予定の貨幣の金種別の数量とが合致するかを確認する照合部をさらに備えてもよい。
【００１５】
本発明による貨幣処理装置において、
前記補充予定の貨幣の金種別の数量は記憶媒体に記憶され、
前記照合部は、前記補充量確認部で確認された前記貨幣の金種別の数量と、前記記憶媒体に記憶された前記補充予定の貨幣の金種別の数量とが合致するかを確認してもよい。
【００１６】
本発明による貨幣処理装置は、
補充日に応じて予め定められた前記補充予定の貨幣の金種別の数量を記憶する記憶部と、
前記補充量確認部で確認された前記貨幣の金種別の数量と前記補充予定の貨幣の金種別の数量とが合致するかを確認する照合部と、をさらに備えてもよい。
【００１７】
本発明による貨幣処理装置は、
前記補充量確認部で確認された前記貨幣の金種別の数量と前記補充予定の貨幣の金種別の数量とが合致しないときに、該補充量確認部で確認された該貨幣の金種別の数量と該補充予定の貨幣の金種別の数量との差異を出力する差異出力部をさらに備えてもよい。
【００１８】
本発明による貨幣処理装置において、
前記差異出力部は、前記差異を印字出力する印字部、該差異を表示する表示部、または、該差異を送信する送信部の少なくとも１つからなってもよい。
【００１９】
本発明による貨幣処理装置は、
所定期間内の前記差異を集計する集計部をさらに備えてもよい。
【００２０】
本発明による貨幣処理装置において、
前記補充量確認部で確認された貨幣の合計金額が補充予定の貨幣の合計金額より多いときに、該補充量確認部で確認された貨幣の合計金額から該補充予定の貨幣の合計金額を引いた金額の貨幣を出金してもよい。
【００２１】
本発明による貨幣処理装置において、
前記補充量確認部で確認された貨幣の合計金額が補充予定の貨幣の合計金額より少ないときに、該補充予定の貨幣の合計金額から該補充量確認部で確認された貨幣の合計金額を引いた金額の貨幣を補充可能としてもよい。
【発明の効果】
【００２２】
本発明によれば、店舗側の責任者の立会いがなくても貨幣を補充することができる。また、本発明によれば、貨幣収納部に貨幣が補充される際または補充された後に当該貨幣の少なくとも金種別の数量が確認され、確認された貨幣の金種別の数量が出力されるので、貨幣を補充する段階で補充する貨幣の過不足を無くすことができる。
【図面の簡単な説明】
【００２３】
【図１】本発明の第１の実施の形態による貨幣入出金装置を示す斜視図。
【図２】本発明の第１の実施の形態による貨幣入出金装置の紙幣入出金装置の側方断面図。
【図３】本発明の第１の実施の形態による貨幣入出金装置の紙幣入出金装置における信号の流れを説明するためのブロック図。
【図４】本発明の第１の実施の形態による貨幣入出金装置の硬貨入出金装置の上方平面図。
【図５】本発明の第１の実施の形態による貨幣入出金装置の硬貨入出金装置の正面断面図。
【図６】本発明の第１の実施の形態による貨幣入出金装置の硬貨入出金装置の側方断面図。
【図７】本発明の第１の実施の形態による貨幣入出金装置の硬貨入出金装置における信号の流れを説明するためのブロック図。
【図８】本発明の第１の実施の形態による貨幣入出金装置の棒金投出装置の側方断面図。
【図９】本発明の第１の実施の形態による貨幣入出金装置の棒金投出装置における信号の流れを説明するためのブロック図。
【図１０】本発明の第１の実施の形態による貨幣入出金装置のターミナル装置１０における信号の流れを説明するためのブロック図。
【図１１】本発明の第２の実施の形態による貨幣入出金装置における信号の流れを説明するためのブロック図。
【発明を実施するための形態】
【００２４】
第１の実施の形態
以下、本発明に係る貨幣入出金装置（貨幣処理装置）の第１の実施の形態について、図面を参照して説明する。ここで、図１乃至図１０は本発明の第１の実施の形態を示す図である。なお、本願において「貨幣」とは「硬貨」（「棒金」を含む。）と「紙幣」の両方を意味している。ところで、以下に示す実施の形態においては、説明の便宜上、特に断りのない限り「硬貨」という文言は「バラ硬貨」のことを意味し、「棒金」のことを意味しないものとする。図１に示すように、本実施の形態の貨幣入出金装置は、紙幣入出金装置１００、硬貨入出金装置２００、棒金投出装置３００、ターミナル装置１０、サーマルプリンタ２０および認証プリンタ３０から構成されている。
【００２５】
本実施の形態の貨幣入出金装置は、店舗内に設置され、例えば警備会社の担当者のような店舗外の第三者により貨幣の回収処理および補充処理が行われるものである。なお、本実施の形態では、貨幣処理装置の一例として、貨幣の入金処理と出金処理の両方を行うことができる貨幣入出金装置を用いて説明するが、これに限られることはない。
【００２６】
（紙幣入出金装置の構成）
まず、図２を用いて、本実施の形態の紙幣入出金装置１００の全体的な構成について説明する。図２に示すように、紙幣入出金装置１００は略直方体形状の紙幣筐体１１２を備えており、この紙幣筐体１１２の前面には、当該紙幣筐体１１２の外部から内部にバラ紙幣を投入するとともに紙幣筐体１１２の内部から外部にバラ紙幣を投出するための紙幣入出金口１２０が紙幣筐体１１２の外部に露出するよう設けられている。紙幣入出金口１２０には開口部が設けられており、この開口部にはシャッター機構１２２が設けられている。そして、シャッター機構１２２により紙幣入出金口１２０の開口部の開閉が行われるようになっている。また、紙幣筐体１１２の内部には、１つの紙幣一時保留部１４２、３つの紙幣金種別収納庫１４０、および１つの紙幣収納カセット１４４が略水平方向に沿って並列に設けられている。また、紙幣筐体１１２の内部には、紙幣を１枚ずつ搬送する紙幣搬送部１３０が設けられており、この紙幣搬送部１３０は、紙幣入出金口１２０、各紙幣金種別収納庫１４０、紙幣一時保留部１４２および紙幣収納カセット１４４の間で紙幣の搬送を行うようになっている。
【００２７】
紙幣入出金口１２０は鉛直方向に対して斜めに傾斜しており、この紙幣入出金口１２０には紙幣が斜めに傾斜して投入されるようになっている。紙幣入出金口１２０には紙幣繰出機構１２１が設けられており、この紙幣繰出機構１２１により紙幣入出金口１２０に集積された紙幣が１枚ずつ紙幣搬送部１３０に繰り出されるようになっている。また、紙幣の出金処理を行う際には、紙幣搬送部１３０から紙幣が１枚ずつ紙幣入出金口１２０に送られるようになっている。なお、これら紙幣入出金口１２０および紙幣繰出機構１２１によって、紙幣を入金するための紙幣入金部が構成されるとともに、後述する紙幣収納部から繰り出された紙幣を出金するための紙幣出金部が構成されている。なお、本実施の形態において「入金」とは、取引をしている際において貨幣を貨幣入出金装置内に投入することを意味し、「補充」とは、取引をすることなく、単に貨幣を貨幣入出金装置内に投入することを意味している。このため、紙幣入金部は、紙幣を補充するための紙幣補充部としても機能することができる。
【００２８】
なお、図２に示す例では、紙幣入出金口１２０および紙幣繰出機構１２１が、紙幣入金部と紙幣出金部の両方を兼ねているが、これに限られることはなく、紙幣入金部と紙幣出金部が別々に設けられていてもよい。この場合には、紙幣筐体１１２の前面または上面に、入金口および出金口がそれぞれ設けられるようになる。
【００２９】
また、シャッター機構１２２は、操作者が紙幣入出金口１２０に紙幣を投入したり紙幣入出金口１２０から紙幣を取り出したりする際には、開いて紙幣入出金口１２０が紙幣筐体１１２の外部に露出されるようになる。一方、紙幣入出金口１２０に集積された紙幣が１枚ずつ紙幣繰出機構１２１により紙幣搬送部１３０に繰り出されたり紙幣搬送部１３０から紙幣入出金口１２０に紙幣が１枚ずつ送られたりする際には、シャッター機構１２２が紙幣入出金口１２０を閉じるようになる。
【００３０】
図２に示すように、紙幣搬送部１３０には紙幣識別部１３１が設置されている。紙幣識別部１３１は、当該紙幣搬送部１３０により搬送される紙幣の金種や正損、真偽などを識別するようになっている。また、紙幣筐体１１２の内部には入金紙幣リジェクト部１２４が設けられており、この入金紙幣リジェクト部１２４は紙幣搬送部１３０に接続されている。そして、紙幣の入金処理を行う際に、紙幣入出金口１２０から紙幣繰出機構１２１により紙幣搬送部１３０に繰り出され紙幣識別部１３１により識別された紙幣のうち、正常な紙幣ではないリジェクト紙幣であると識別された紙幣や、搬送異常（斜行、重送、連鎖）などにより紙幣識別部１３１で識別することができなかった紙幣は紙幣搬送部１３０から入金紙幣リジェクト部１２４に送られるようになっている。また、紙幣筐体１１２の内部には出金リジェクト部１２６が設けられており、この出金リジェクト部１２６は紙幣搬送部１３０に接続されている。そして、紙幣の出金処理を行う際に、各紙幣金種別収納庫１４０などから紙幣搬送部１３０に繰り出され紙幣識別部１３１により識別された紙幣のうち、正常な紙幣ではないリジェクト紙幣であると識別された紙幣や、搬送異常などにより紙幣識別部１３１で識別することができなかった紙幣は紙幣搬送部１３０から出金リジェクト部１２６に送られるようになっている。
【００３１】
図２に示すように、紙幣収納カセット１４４、各紙幣金種別収納庫１４０および紙幣一時保留部１４２は、この順番で、紙幣筐体１１２の奥行き方向（図２の左右方向）に沿って手前側から順に配置されている。各紙幣金種別収納庫１４０、紙幣一時保留部１４２および紙幣収納カセット１４４にはそれぞれ紙幣搬送部１３０から１枚ずつ紙幣が送られるようになっている。ここで、各紙幣金種別収納庫１４０、紙幣一時保留部１４２および紙幣収納カセット１４４はそれぞれ扁平状の略直方体形状のものからなり、紙幣搬送部１３０から送られた紙幣が積層状態に収納されるようになっている。また、各紙幣金種別収納庫１４０、紙幣一時保留部１４２および紙幣収納カセット１４４にはそれぞれ紙幣繰出機構１４１、１４３、１４５が設けられており、これらの各紙幣金種別収納庫１４０、紙幣一時保留部１４２および紙幣収納カセット１４４に収納された紙幣は紙幣繰出機構１４１、１４３、１４５により１枚ずつ紙幣搬送部１３０に繰り出すことができるようになっている。なお、これら各紙幣金種別収納庫１４０、紙幣一時保留部１４２および紙幣収納カセット１４４、並びに、紙幣繰出機構１４１、１４３、１４５によって、入金された紙幣を収納するとともに、収納された紙幣を必要に応じて繰り出す紙幣収納部が構成されている。
【００３２】
各紙幣金種別収納庫１４０は、紙幣搬送部１３０から送られた紙幣を金種別に収納するとともに、収納された紙幣を各紙幣繰出機構１４１により紙幣搬送部１３０に繰り出し可能となっている。より詳細には、紙幣筐体１１２内において最も手前側に配置された紙幣金種別収納庫１４０ａは、例えば一万円札を収納するようになっており、紙幣筐体１１２内において次に手前側に配置された紙幣金種別収納庫１４０ｂは、例えば五千円札を収納するようになっており、紙幣筐体１１２内において最も奥側に配置された紙幣金種別収納庫１４０ｃは、例えば千円札を収納するようになっている。なお、例えば一万円札を収納する紙幣金種別収納庫１４０ａとしては、紙幣繰出機構１４１が設けられておらず、紙幣搬送部１３０から送られた紙幣を収納するのみとなっているものが用いられてもよい。また、本実施の形態の各紙幣金種別収納庫１４０は、紙幣筐体１１２の内部に固定されており、この紙幣筐体１１２から取り外すことができないようになっている。なお、これに限られることはなく、各紙幣金種別収納庫１４０のうち一または複数の紙幣金種別収納庫１４０が紙幣筐体１１２から取り出すことができるようになっていてもよい。この場合には、紙幣金種別収納庫１４０に収納された紙幣を当該紙幣金種別収納庫１４０ごと回収することができるようになる。
【００３３】
紙幣収納カセット１４４は紙幣筐体１１２から取り外し自在となっている。また、紙幣収納カセット１４４は、紙幣搬送部１３０から送られた紙幣を収納するとともに、収納された紙幣を紙幣繰出機構１４５により紙幣搬送部１３０に繰り出し可能となっている。より具体的には、紙幣収納カセット１４４には、紙幣の入金処理を行う際に各紙幣金種別収納庫１４０がフル状態となってしまうことにより収納することができなくなったオーバーフロー紙幣や二千円札、損券などが収納されるようになっている。また、紙幣入出金装置１００からの紙幣の回収処理を行う際に紙幣筐体１１２から紙幣収納カセット１４４を取り外すことにより当該紙幣収納カセット１４４に収納された紙幣を回収したり、紙幣入出金装置１００に対して紙幣の補充処理を行う際に補充用の紙幣が収納された紙幣収納カセット１４４を紙幣筐体１１２の外部から当該紙幣筐体１１２内に装填して紙幣を補充したりすることもできる。
【００３４】
紙幣一時保留部１４２は、紙幣搬送部１３０から送られた紙幣を一時的に保留するとともに、保留された紙幣を紙幣繰出機構１４３により紙幣搬送部１３０に繰り出し可能となっている。この紙幣一時保留部１４２は、紙幣の入金処理を行う際に紙幣入出金口１２０により紙幣筐体１１２の外部から内部に投入された紙幣を一時的に保留するようになっている。また、紙幣の補充処理を行う際に紙幣収納カセット１４４が紙幣筐体１１２内に装填されると、紙幣繰出機構１４５により紙幣収納カセット１４４から紙幣が１枚ずつ繰り出され、紙幣搬送部１３０により紙幣一時保留部１４２に紙幣が１枚ずつ送られ、この紙幣一時保留部１４２で補充用の紙幣が一時的に保留されるようになっている。
【００３５】
また、紙幣搬送部１３０は、紙幣を搬送するための紙幣搬送路１３０ａを有している。そして、この紙幣搬送路１３０ａの各分岐箇所には、分岐爪からなる分岐部材１３６がそれぞれ設けられている。各分岐部材１３６により、紙幣搬送部１３０により搬送される紙幣の搬送先が決められるようになっている。
【００３６】
また、図３に示すように、紙幣入出金装置１００は、当該紙幣入出金装置１００の各構成要素を制御するための紙幣制御部１７０を有している。より具体的には、紙幣制御部１７０には、紙幣繰出機構１２１、シャッター機構１２２、紙幣搬送部１３０、紙幣識別部１３１、分岐部材１３６、紙幣繰出機構１４１、１４３、１４５などがそれぞれ接続されている。そして、紙幣制御部１７０は、これらの構成要素から情報を得たり、これらの構成要素に制御信号を送って制御したりするようになっている。なお、紙幣制御部１７０は、後述するターミナル制御部１５に接続されている。
【００３７】
（硬貨入出金装置の構成）
次に、図４乃至図７を用いて、本実施の形態の硬貨入出金装置の全体構成について説明する。図４に示すように、本実施の形態の硬貨入出金装置２００は、略直方体形状の硬貨筐体２１２を備えており、この硬貨筐体２１２の上面２１２ｂには硬貨を投入するための硬貨投入口２２０が設けられている。硬貨筐体２１２内の上部において、硬貨供給ホッパ２２２および硬貨繰出ホッパ２２４がそれぞれ設けられており、硬貨筐体２１２の上面２１２ｂにある硬貨投入口２２０に投入された硬貨は硬貨供給ホッパ２２２に送られ、この硬貨供給ホッパ２２２から硬貨が硬貨繰出ホッパ２２４に送られるようになっている。なお、これら硬貨投入口２２０、硬貨供給ホッパ２２２および硬貨繰出ホッパ２２４によって硬貨を入金するための硬貨入金部が構成されている。ところで、上記のように「入金」と「補充」の差異は取引を行っているかどうかにすぎないため、この硬貨入金部は、硬貨を補充するための硬貨補充部としても機能することができる。
【００３８】
また、硬貨繰出ホッパ２２４には略水平方向に延びる入金硬貨搬送部２２６が接続されており、硬貨繰出ホッパ２２４に収容される硬貨は１枚ずつ入金硬貨搬送部２２６に繰り出され、この入金硬貨搬送部２２６で硬貨が１枚ずつ搬送されるようになっている。また、入金硬貨搬送部２２６には入金硬貨識別部２２７が設けられており、硬貨繰出ホッパ２２４から入金硬貨搬送部２２６に繰り出された硬貨は入金硬貨識別部２２７により金種、正損、真偽などの識別が行われるようになっている。
【００３９】
図４に示すように、入金硬貨搬送部２２６における入金硬貨識別部２２７よりも下流側の箇所には入金硬貨リジェクト選別部２２６ｈが設けられている。また、この入金硬貨リジェクト選別部２２６ｈの下方には、入金硬貨リジェクトシュート（図示せず）が設けられており、入金硬貨リジェクトシュートの下方には、リジェクト硬貨が集積される入金硬貨リジェクト部（図示せず）が設けられている。入金硬貨識別部２２７によりリジェクト硬貨であると識別された硬貨や、入金硬貨識別部２２７により識別することができなかった硬貨は、入金硬貨リジェクト選別部２２６ｈにより入金硬貨搬送部２２６から入金硬貨リジェクトシュートに送られ、この入金硬貨リジェクトシュートから入金硬貨リジェクト部に硬貨が自重による落下によって送られる。入金硬貨リジェクト部に集積された硬貨は、硬貨筐体２１２の前面２１２ａから操作者が取り出すことができるようになっている。
【００４０】
また、入金硬貨搬送部２２６における入金硬貨リジェクト選別部２２６ｈよりも下流側の箇所には、５円硬貨選別部２２６ａ、１円硬貨選別部２２６ｂ、５０円硬貨選別部２２６ｃ、１００円硬貨選別部２２６ｄ、および１０円硬貨選別部２２６ｅがそれぞれ上流側から順に設けられている。また、入金硬貨搬送部２２６の下流側端部には、５００円硬貨用開口２２６ｇが設けられている。そして、図６に示すように、各硬貨選別部２２６ａ〜２２６ｅおよび５００円硬貨用開口２２６ｇの下方にはそれぞれ入金硬貨シュート２２８が設けられている。入金硬貨識別部２２７により５円硬貨、１円硬貨、５０円硬貨、１００円硬貨、１０円硬貨と選別された硬貨は、それぞれ対応する各硬貨選別部２２６ａ〜２２６ｅにより入金硬貨搬送部２２６からそれぞれの入金硬貨シュート２２８に送られるようになっている。また、入金硬貨識別部２２７により識別された硬貨が５００円硬貨である場合には、この硬貨は、各硬貨選別部２２６ａ〜２２６ｅによりこれらの硬貨選別部２２６ａ〜２２６ｅに対応する入金硬貨シュート２２８に送られることなく、代わりに入金硬貨搬送部２２６の下流側端部にある５００円硬貨用開口２２６ｇに送られ、この５００円硬貨用開口２２６ｇに対応する入金硬貨シュート２２８（図６における最も右側の入金硬貨シュート２２８）に送られることとなる。
【００４１】
硬貨筐体２１２の内部において、各入金硬貨シュート２２８の下方には、１つの入金硬貨一時保留部２３０が設けられている。入金硬貨一時保留部２３０は、略直方体形状のものからなり、略水平方向に延びるようになっている。より具体的には、入金硬貨一時保留部２３０は、硬貨筐体２１２の奥行き方向（図６の左右方向）に細長く延びるようになっている。この入金硬貨一時保留部２３０は、５円硬貨保留領域２３０ａ、１円硬貨保留領域２３０ｂ、５０円硬貨保留領域２３０ｃ、１００円硬貨保留領域２３０ｄ、１０円硬貨保留領域２３０ｅ、５００円硬貨保留領域２３０ｆからなる６つの領域に区分けされており、各金種別の選別部２２６ａ〜２２６ｇから各入金硬貨シュート２２８を介して各金種の硬貨が送られるようになっている。
【００４２】
入金硬貨一時保留部２３０は、図５の矢印に示すように硬貨筐体２１２の内部において略水平方向に移動することができるようになっている。より具体的には、図５に示すように、入金硬貨一時保留部２３０は、入金硬貨シュート２２８の真下の位置である第１の位置ａ、後述する硬貨収納部２４０の真上の位置である第２の位置ｂ、および後述する入金硬貨返却部２３２の真上の位置である第３の位置ｃの間で移動することができるようになっている。ここで、第１の位置ａは、第２の位置ｂと第３の位置ｃとの間に位置している。また、入金硬貨一時保留部２３０の高さレベルよりも下方において、硬貨収納部２４０および入金硬貨返却部２３２の上方にはそれぞれ硬貨収納部用シュート２３６および入金硬貨返却部用シュート２３４が設けられている。ここで、入金硬貨一時保留部２３０は、第１の位置ａにおいて入金硬貨シュート２２８から硬貨が送られ、この入金硬貨シュート２２８から送られた硬貨を一時的に保留するようになっている。そして、入金硬貨一時保留部２３０は、第２の位置ｂまたは第３の位置ｃに移動し、この入金硬貨一時保留部２３０で一時的に保留された硬貨を硬貨収納部用シュート２３６または入金硬貨返却部用シュート２３４に送るようになっている。
【００４３】
なお、硬貨収納部用シュート２３６および入金硬貨返却部用シュート２３４は、各々、入金硬貨一時保留部２３０ａ〜２３０ｆに対して６つの通過領域に区分けされている。
【００４４】
図５に示すように、入金硬貨返却部用シュート２３４の下方には、１つの入金硬貨返却部２３２が設けられている。この入金硬貨返却部２３２は、操作者が硬貨筐体２１２の前面２１２ａから手前側に引き出すことにより（図６において左方向に引き出すことにより）硬貨筐体２１２に対して出し入れ可能となるよう、図示しないスライドレールにより取り付けられている。入金硬貨返却部２３２は、略直方体形状のものからなり、略水平方向に延びるようになっている。より具体的には、入金硬貨返却部２３２は、硬貨筐体２１２の奥行き方向（図６の左右方向）に細長く延びるようになっている。この入金硬貨返却部２３２は、図６に示すように、５円硬貨収容箱２３２ａ、１円硬貨収容箱２３２ｂ、５０円硬貨収容箱２３２ｃ、１００円硬貨収容箱２３２ｄ、１０円硬貨収容箱２３２ｅ、５００円硬貨収容箱２３２ｆからなる、金種別に硬貨を収納する６つの硬貨収容箱２３２ａ〜２３２ｆを有している。各硬貨収容箱２３２ａ〜２３２ｆは、入金硬貨返却部２３２の本体部分に対して着脱自在となっている。これらの硬貨収容箱２３２ａ〜２３２ｆは、硬貨筐体２１２に対する入金硬貨返却部２３２の出し入れ方向に沿って直列に並ぶよう設けられている。また、５円硬貨収容箱２３２ａ、１円硬貨収容箱２３２ｂ、５０円硬貨収容箱２３２ｃ、１００円硬貨収容箱２３２ｄ、１０円硬貨収容箱２３２ｅ、５００円硬貨収容箱２３２ｆには、それぞれ、入金硬貨返却部用シュート２３４の５円硬貨通過領域、１円硬貨通過領域、５０円硬貨通過領域、１００円硬貨通過領域、１０円硬貨通過領域、５００円硬貨通過領域から５円硬貨、１円硬貨、５０円硬貨、１００円硬貨、１０円硬貨、５００円硬貨が送られるようになっている。
【００４５】
図５に示すように、硬貨筐体２１２内の下部には、入金された硬貨を収納するとともに、収納された硬貨を必要に応じて繰り出す硬貨収納部２４０が設けられている。図５では硬貨収納部２４０が１つしか示されていないが、実際には硬貨収納部２４０は硬貨収納部用シュート２３６の６つの通過領域に対応して、図５の紙面に直交する方向に沿って金種毎に６つ設けられている。そして、硬貨は各硬貨収納部２４０に金種別に収納されるようになっているとともに各硬貨収納部２４０から硬貨が金種別に繰り出されるようになっている。より具体的には、各硬貨収納部２４０は、硬貨収納部用シュート２３６を介して入金硬貨一時保留部２３０から送られた硬貨を金種別に収納するとともに、この収納された硬貨を１枚ずつ繰り出すようになっている。
【００４６】
図５に示すように、各硬貨収納部２４０の下部には硬貨の収納部分２４０ａが設けられている。収納部分２４０ａには、鉛直面（図５の紙面に平行な面）に沿って略平行に配置される一対の円盤部材２４２が設けられており、この一対の円盤部材２４２は回転自在となっている。ここで、一対の円盤部材２４２間の間隔は、収納されるべき硬貨の径よりも大きくなっており、この一対の円盤部材２４２の間およびその上方部分に硬貨が収納されるようになっている。一対の円盤部材２４２には、この一対の円盤部材２４２間の間隔よりも大きな幅を有する第１の搬送ベルト２４４が張架されており、第１の搬送ベルト２４４が図５の時計回りの方向に循環移動させられると、この第１の搬送ベルト２４４が張架された一対の円盤部材２４２が図５の反時計回りの方向に回転し、第１の搬送ベルト２４４および一対の円盤部材２４２の動作により一対の円盤部材２４２間で硬貨の攪拌が行われる。収納部分２４０ａに収納された硬貨は、第１の搬送ベルト２４４の表面に形成された突起に係合されて上方に１枚ずつ搬送され、この第１の搬送ベルト２４４から第２の搬送ベルト２４６に受け渡されるようになっている。そして、第２の搬送ベルト２４６により硬貨は更に上方に１枚ずつ搬送され、第２の搬送ベルト２４６の上端にある繰出シュート２４７から硬貨収納部２４０の外部に硬貨が１枚ずつ繰り出されるようになっている。また、各硬貨収納部２４０には、それぞれ、当該硬貨収納部２４０から繰り出される硬貨の金種の識別を行う出金硬貨識別部２４８が設けられている。図５に示すように、この出金硬貨識別部２４８は、第２の搬送ベルト２４６により硬貨が上方に搬送される途中に設けられており、第２の搬送ベルト２４６により上方に搬送される硬貨の金種、正損、真偽などの識別が行われるようになっている。
【００４７】
繰出シュート２４７により各硬貨収納部２４０から繰り出された硬貨は、硬貨筐体２１２内の下部において硬貨収納部２４０の隣に設けられた硬貨出金部２５４に送られ、出金することができるようになっている。この硬貨出金部２５４は、操作者が硬貨筐体２１２の前面２１２ａから手前側に引き出すことにより（図６において左方向に引き出すことにより）硬貨筐体２１２に対して出し入れ可能となるよう、図示しないスライドレールにより取り付けられている。硬貨出金部２５４は、略直方体形状のものからなり、略水平方向に延びるようになっている。より具体的には、硬貨出金部２５４は、硬貨筐体２１２の奥行き方向（図６の左右方向）に細長く延びるようになっている。図６に示すように、この硬貨出金部２５４は、５円硬貨収容箱２５４ａ、１円硬貨収容箱２５４ｂ、５０円硬貨収容箱２５４ｃ、１００円硬貨収容箱２５４ｄ、１０円硬貨収容箱２５４ｅ、５００円硬貨収容箱２５４ｆからなる、金種別に硬貨を収納する６つの硬貨収容箱２５４ａ〜２５４ｆを有しており、各々の硬貨収納部２４０から繰出シュート２４７を介して各金種の硬貨が送られるようになっている。
【００４８】
図５に示すように、硬貨出金部２５４には、例えばソレノイドなどにより当該硬貨出金部２５４の施錠を行う施錠部２５５が設けられている。そして、施錠部２５５により硬貨出金部２５４の施錠が行われると、操作者は、硬貨筐体２１２の前面２１２ａから硬貨出金部２５４を引き出すことができなくなるようになっている。
【００４９】
また、図７に示すように、硬貨入出金装置２００は、当該硬貨入出金装置２００の各構成要素の制御を行うための硬貨制御部２７０を有している。より具体的には、硬貨制御部２７０には、硬貨筐体２１２内の上部に設けられた硬貨供給ホッパ２２２、硬貨繰出ホッパ２２４、入金硬貨搬送部２２６、入金硬貨識別部２２７、入金硬貨一時保留部２３０、入金硬貨返却部２３２、硬貨出金部２５４、施錠部２５５、ならびに硬貨筐体２１２内の下部に設けられた硬貨収納部２４０の第１の搬送ベルト２４４、第２の搬送ベルト２４６、および出金硬貨識別部２４８にそれぞれ接続されている。そして、硬貨制御部２７０は、これらの構成要素から情報を得たり、これらの構成要素に制御信号を送って制御したりするようになっている。なお、硬貨制御部２７０は、後述するターミナル制御部１５に接続されている。
【００５０】
（棒金投出装置の構成）
次に、図８および図９を用いて、本実施の形態の棒金投出装置の全体構成について説明する。図８に示すように、本実施の形態の棒金投出装置は、略直方体形状の棒金筐体３２５と、この棒金筐体３２５内に設けられて棒金を整列させて収納するための複数（本実施の形態では１０個）の棒金収納トレー３４０と、を有している。また、棒金筐体３２５の前面上方には、当該棒金筐体３２５の内部から外部に棒金を投出するための棒金出金口３２７が設けられている。そして、この棒金出金口３２７には開閉自在のシャッター機構３２２が設けられている。
【００５１】
また、各棒金収納トレー３４０は、棒金筐体３２５の前後方向（図８の左右方向）に延在するとともに前方へ向けて下降傾斜している。また、棒金は、各棒金収納トレー３４０で棒金の長手方向が棒金筐体３２５の幅方向（図８の紙面の奥行き方向）に向くように収納されており、上述のように棒金収納トレー３４０が前方へ向けて下降傾斜していることから、収納された棒金は前方に寄せて整列状態で収納されることとなる。なお、棒金収納トレー３４０の前端には、最前列の棒金の前面側を支える支え部３４１が設けられている。また、棒金収納トレー３４０の前端の中央部分２箇所には図示しない開口部が設けられており、後述する投出部材３５０がその開口部を通過することができるようになっている。
【００５２】
また、棒金筐体３２５の後面には、開口した棒金投入口３２０と、この棒金投入口３２０を覆う開閉扉３２１が設けられている。なお、この開閉扉３２１は開閉自在となっているが、図示しない施錠部が設けられており、施錠部で施錠されているときには開閉扉３２１は開けられないようになっている。
【００５３】
各棒金収納トレー３４０は、開閉扉３２１を開けた状態で、棒金筐体３２５の後方に向かって引き出すことができるようになっており、棒金を補充（装填）する際には、所定の棒金収納トレー３４０を引き出した後に当該棒金収納トレー３４０に警備会社の担当者が棒金を補充してもよいし、棒金収納トレー３４０を引き抜いた後、補充すべき数の棒金が既に収納された別の棒金収納トレー３４０を棒金筐体３２５内に差し込むようにしてもよい。なお、棒金投入口３２０によって、棒金を補充するための棒金補充部が構成されている。
【００５４】
棒金収納トレー３４０内の棒金の収納の仕方は様々あるが、本実施の形態では一例として、上から１〜３段目は１０円硬貨からなる棒金を収納し、上から４〜６段目は１００円硬貨からなる棒金を収納し、上から７段目は５０円硬貨からなる棒金を収納し、上から８段目は５円硬貨からなる棒金を収納し、上から９段目は５００円硬貨からなる棒金を収納し、上から１０段目は１円硬貨からなる棒金を収納するようになっている。
【００５５】
また、図８に示すように、棒金投出装置には、各棒金収納トレー３４０内の棒金の金種および本数の棒金収納状態を検知する棒金検知装置（補充量確認部）３１０が設けられている。この棒金検知装置３１０は、各棒金収納トレー３４０の両側面（図８の紙面の奥行き方向の両側面）に配置されて上下方向に延在する一対のセンサ基板３１３と、このセンサ基板３１３の内面に各棒金収納トレー３４０の位置に対応して設けられたセンサ３１１，３１２と、一対のセンサ基板３１３を支持するとともに、この一対のセンサ基板３１３を棒金収納トレー３４０の延在する方向（図８の左右方向）に沿って走査させるセンサ移動部３６０と、を有している。なお、本実施の形態では、棒金収納トレー３４０内に棒金が補充された後で一対のセンサ基板３１３が走査されることで、センサ３１１，３１２が棒金収納トレー３４０に沿って走査されて、棒金収納トレー３４０に収納された棒金の金種別の数量が検出されることとなる。
【００５６】
センサ３１１，３１２は、硬貨に孔があるかどうかを検知する孔センサ３１１と、硬貨の径を測定する径センサ３１２とを有しており、これら孔センサ３１１と径センサ３１２の各々が各棒金収納トレー３４０に対応して設けられている。これら各センサ３１１，３１２は、一方のセンサ基板３１３に取り付けられた例えば発光ダイオードなどの発光器と、他方のセンサ基板３１３に取り付けられた例えば受光トランジスタなどの受光器とを有している。そして、これら発光器と受光器とが互いに対向し、発光器から発したセンサ光を受光器で受光することができるようになっており、受光の有無によって、硬貨に孔があるかどうかを検知したり硬貨の径を測定したりすることができるようになっている。
【００５７】
なお、孔センサ３１１は、センサ基板３１３が走査する際に、棒金収納トレー３４０内の棒金の端面の中央部を通過する位置に位置づけられている。他方、径センサ３１２は、センサ基板３１３が走査する際に、棒金収納トレー３４０内の棒金の端面の中央部より周縁側の弦部分に対応する位置に位置づけられている。なお、センサ基板３１３は、センサ移動部３６０によって、最も前進した位置と最も後進した位置との間で往復移動可能となっている。
【００５８】
また、センサ移動部３６０は、各センサ基板３１３の上部が取り付けられた無端状のベルト３６２（図８の上方のベルト３６２）と、各センサ基板３１３の下部が取り付けられた無端状のベルト３６２（図８の下方のベルト３６２）と、各ベルト３６２が掛け回された８つのプーリ３６１とを有している。より具体的には、図８の紙面の手前側に配置されたセンサ基板３１３の上部には、図８の上方のベルト３６２が設けられ、このベルト３６２は前方側（図８の左側）と後方側（図８の右側）の各々でプーリ３６１に掛け回されている。また、図８の紙面の手前側に配置されたセンサ基板３１３の下部には、図８の下方のベルト３６２が設けられ、このベルト３６２は前方側（図８の左側）と後方側（図８の右側）の各々でプーリ３６１に掛け回されている。また、図８の紙面の奥側に配置されて図示されていないセンサ基板の上部には、図８では示されていない上方のベルトが設けられ、このベルトは前方側（図８の左側）と後方側（図８の右側）の各々で図８では図示されていないプーリに掛け回されている。また、図８の紙面の奥側に配置されて図示されていないセンサ基板の下部には、図８では示されていない下方のベルトが設けられ、このベルトは前方側（図８の左側）と後方側（図８の右側）の各々で図８では図示されていないプーリに掛け回されている。
【００５９】
なお、８つのプーリ３６１のうち、上部後方側に位置する２つのプーリは、互いに連動軸（図示せず）で連結されており、同様に、下部後方側に位置する２つのプーリは互いに連動軸（図示せず）で連結されている。また、この二つの連動軸の各々には、連動用プーリが固定されており、この２つの連動用プーリの間に、上下方向に延在し上述した二つの連動軸を同期させて移動させるためのベルト（図示せず）が掛け回されている。このため、上部の連動軸と下部の連動軸が同期して回転されることとなり、その結果、全てのベルトが同期して回転するように構成されている。
【００６０】
また、センサ移動部３６０は、下方側の連動軸に連結されたモータなどのセンサ駆動部３６３（図９参照）も有している。そして、このセンサ駆動部３６３の正逆転駆動によって、全てのベルト３６２が同期して回転され、一対のセンサ基板３１３が対向状態を保ったまま一体的に走査方向に移動する。
【００６１】
また、センサ駆動部３６３には、センサ駆動部３６３の駆動軸の回転量を検知するロータリーエンコーダ３６４（図９参照）が設けられている。そして、このロータリーエンコーダ３６４による検知結果に基づいて、一対のセンサ基板３１３の移動量、すなわち各センサ３１１，３１２の移動量が測定されることとなる。
【００６２】
また、図８に示すように、棒金収納トレー３４０の前方側には、出金する棒金を搬送するための棒金搬送箱３５１が設けられている。また、この棒金搬送箱３５１には、棒金搬送箱３５１を上下方向に移動させるための棒金搬送箱移動部３３０が設けられている。この棒金搬送箱移動部３３０は、棒金搬送箱３５１の両側面（図８の紙面の奥行き方向の両側面）に設けられた一対の無端状のベルト３３２と、各ベルト３３２が掛け回され、互いに上下方向に配置された一対のプーリ３３１と、４つのプーリ３３１のうち下方側に位置する２つのプーリ３３１を互いに連結する連動軸（図示せず）と、この連動軸に連結されて、この連動軸を回転させるモータなどの棒金搬送駆動部３３３（図９参照）と、を有している。そして、棒金搬送駆動部３３３の正逆転駆動によって、ベルト３３２が同期して回転され、棒金搬送箱３５１が上下方向に移動される。
【００６３】
また、棒金搬送箱３５１の棒金収納トレー３４０側（図８の右側）には、反時計回りに回転駆動される投出部材３５０が設けられている。そして、この投出部材３５０が反時計回りに回転駆動されることで、投出部材３５０が棒金収納トレー３４０の前方側に設けられた開口部（図示せず）を通過し、最も前方に位置する棒金がすくい上げられて棒金搬送箱３５１内に取り込まれることとなる。棒金を出金する際の動きについて、詳細に説明すると、まず、出金する金種からなる棒金を収納した棒金収納トレー３４０の前で棒金搬送箱３５１が停止される。次に、投出部材３５０が反時計回りに回転駆動されることで、最も前方に位置する棒金が投出部材３５０によってすくい上げられて、棒金収納トレー３４０から棒金搬送箱３５１に取り込まれる。そして、当該金種からなる棒金について出金すべき本数の棒金が棒金搬送箱３５１に取り込まれると、次の金種の棒金について同様の動作が行われる。このようにして全ての金種について出金すべき棒金が棒金搬送箱３５１に取り込まれると、棒金搬送箱３５１が最上部（図８の破線で示された位置）まで移動されて、シャッター機構３２２が開かれ、棒金の投出が行われる。なお、棒金収納トレー３４０と投出部材３５０によって、棒金を収納するとともに、収納された棒金を必要に応じて繰り出す棒金収納部が構成されている。
【００６４】
また、図９に示すように、棒金投出装置３００は、当該棒金投出装置３００の各構成要素を制御するための棒金制御部３７０が設けられている。より具体的には、棒金制御部３７０には、孔センサ３１１、径センサ３１２、シャッター機構３２２、棒金搬送駆動部３３３、投出部材３５０、センサ駆動部３６３、ロータリーエンコーダ３６４などがそれぞれ接続されている。そして、棒金制御部３７０は、これらの構成要素から情報を得たり、これらの構成要素に制御信号を送って制御したりするようになっている。
【００６５】
（その他の構成要素について）
次に、上述した紙幣入出金装置１００、硬貨入出金装置２００および棒金投出装置３００以外の構成要素の構成について説明する。図１に示すように、本実施の形態の貨幣入出金装置は、紙幣入出金装置１００、硬貨入出金装置２００および棒金処理装置３００から情報を得たり、これらの構成要素に制御信号を送って制御したりするターミナル装置１０を備えている。また、図１に示すように、このターミナル装置１０には、感熱紙などに所定の情報の印字を行うサーマルプリンタ２０と、入金結果や出金結果などの所定の情報を帳票などに印字する認証プリンタ３０とが接続されている。
【００６６】
図１に示すように、ターミナル装置１０は、操作者が操作信号を入力するための操作部１２と、様々な情報を表示する表示画面（表示部）１１と、店舗の本部などに設置された上位機器、警備会社に設置されたコンピュータなどに情報を送信したり、これらから情報を受信したりする送受信部１６（図１０参照）と、を有している。
【００６７】
また、ターミナル装置１０は、当該ターミナル装置１０の各構成要素の制御を行うためのターミナル制御部１５を有している。より具体的には、ターミナル制御部１５は、上述の表示画面１１、操作部１２および送受信部１６にそれぞれ接続されており、これらの構成要素から情報を得たり、これらの構成要素に制御信号を送って制御したりするようになっている。また、ターミナル制御部１５は、紙幣制御部１７０、硬貨制御部２７０、棒金制御部３７０、サーマルプリンタ２０および認証プリンタ３０にも接続されている。そして、ターミナル制御部１５は、これらから情報を得たり、これらに制御信号を送って制御したりするようになっている。
【００６８】
本実施の形態では表示画面１１に、棒金検知装置３１０で確認された棒金の金種別の数量を表示することができるように構成されている。また、本実施の形態では、サーマルプリンタ２０または認証プリンタ３０が、紙幣制御部１７０、硬貨制御部２７０および棒金制御部３７０の各々からターミナル制御部１５を介して受け取った情報に基づいて、補充された貨幣の金種別の数量を印字出力することができるようになっている。そして、これらサーマルプリンタ２０または認証プリンタ３０が印字部を構成している。そして、本実施の形態では、これら表示画面１１と印字部の各々が、補充された貨幣の金種別の数量を出力する確認結果出力部として機能している。なお、このようにサーマルプリンタ２０または認証プリンタ３０が印字部を構成する態様に限られることはなく、サーマルプリンタ２０と認証プリンタ３０の両方が、補充された貨幣の金種別の数量を印字出力することができるようになっており、サーマルプリンタ２０と認証プリンタ３０の両方が印字部を構成するようになっていてもよい。
【００６９】
また、本実施の形態のターミナル装置１０の送受信部１６は、棒金検知装置３１０で確認された棒金の金種別の数量を、店舗の本部などに設置された上位機器および警備会社に設けられたコンピュータなどに送信するようになっており、確認結果出力部としても機能している。
【００７０】
なお、ターミナル装置１０の操作部１２から入力される指示を受けて棒金制御部３７０が棒金の補充処理を受け付けることとなるが、本実施の形態では、表示画面１１によって棒金検知装置３１０で確認された棒金の金種別の数量が表示され、かつ、サーマルプリンタ２０または認証プリンタ３０の印字部によって棒金検知装置３１０で確認された棒金の金種別の数量が印字出力されないと、棒金制御部３７０は棒金の補充処理を終了させないように構成されている。
【００７１】
次に、このような構成からなる本実施の形態の作用および効果について説明する。
【００７２】
（紙幣入出金装置の動作）
最初に、上述のような構成からなる紙幣入出金装置の動作について説明する。なお、以下に示す紙幣入出金装置１００の動作は、紙幣制御部１７０が各構成要素を制御することにより行われる。
【００７３】
最初に、紙幣入出金装置１００への紙幣の入金処理について説明する。紙幣の入金処理を行う際には、まず、ターミナル１０の操作部１２で入金処理が選択されると、紙幣入出金装置１００における紙幣入出金口１２０のシャッター機構１２２を開き、操作者が紙幣を紙幣入出金口１２０に投入する。そして、操作者がターミナル１０の操作部１２で計数開始指示を行うと、シャッター機構１２２を閉じ、紙幣入出金口１２０に投入された紙幣は紙幣繰出機構１２１により１枚ずつ紙幣搬送部１３０に繰り出される。紙幣繰出機構１２１により紙幣搬送部１３０に繰り出された紙幣は当該紙幣搬送部１３０により搬送され、紙幣識別部１３１によりその金種や正損、真偽などの識別が行われる。紙幣識別部１３１により正常な紙幣ではないリジェクト紙幣であると識別された紙幣や、紙幣識別部１３１により識別することができなかった紙幣は、紙幣搬送部１３０から入金紙幣リジェクト部１２４に送られ、この入金紙幣リジェクト部１２４に集積される。一方、紙幣識別部１３１により正常な紙幣であると識別された紙幣は、紙幣一時保留部１４２に搬送され、この紙幣一時保留部１４２に積層状態で一時的に保留される。
【００７４】
その後、紙幣入出金口１２０から紙幣一時保留部１４２または入金紙幣リジェクト部１２４に紙幣が全て送られると、ターミナル装置１０の表示画面１１にその旨が表示される。そして、操作者が操作部１２により紙幣制御部１７０に対して入金確定の指示を送ると、紙幣一時保留部１４２に一時的に保留された紙幣は１枚ずつ紙幣搬送部１３０に繰り出され、紙幣識別部１３１により識別が行われた後、金種別に各紙幣金種別収納庫１４０や紙幣収納カセット１４４に送られる。なお、紙幣識別部１３１により損券であると判断された場合や対応する各紙幣金種別収納庫１４０ａ、１４０ｂ、１４０ｃがフル状態である場合には、紙幣収納カセット１４４に送られる。このように、紙幣一時保留部１４２から各紙幣金種別収納庫１４０や紙幣収納カセット１４４に紙幣が全て送られると、紙幣の入金処理が終了する。
【００７５】
次に、紙幣入出金装置１００からの紙幣の出金処理について説明する。操作者がターミナル装置１０の操作部１２により紙幣制御部１７０に対して紙幣の出金処理の指示を与えると、各紙幣金種別収納庫１４０に収納された紙幣が紙幣繰出機構１４１により紙幣搬送部１３０に１枚ずつ繰り出され、紙幣搬送部１３０に繰り出された紙幣は紙幣識別部１３１により識別が行われる。そして、正常な紙幣であると識別された紙幣は紙幣搬送部１３０から紙幣入出金口１２０に１枚ずつ送られ、この紙幣入出金口１２０で紙幣が積層状態に集積される。一方、紙幣識別部１３１により正常な紙幣ではないリジェクト紙幣であると識別された紙幣や、紙幣識別部１３１により識別することができなかった紙幣は、紙幣搬送部１３０から出金紙幣リジェクト部１２６に送られ、この出金紙幣リジェクト部１２６で集積される。その後、紙幣入出金口１２０のシャッター機構１２２が開くことにより、操作者は紙幣入出金口１２０に集積された紙幣を取り出すことができるようになる。
【００７６】
次に、紙幣入出金装置１００からの紙幣の回収処理や紙幣入出金装置１００への紙幣の補充処理について説明する。本実施の形態では、このような紙幣の回収処理や補充処理は、警備会社の担当者といった店舗外の第三者により行われるようになっている。より詳細には、紙幣の回収処理を行う際には、まず、各紙幣金種別収納庫１４０に収納された紙幣の中に余剰な紙幣があれば紙幣収納カセット１４４に搬送され、その後、警備会社の担当者が紙幣入出金装置１００の筐体１２から紙幣収納カセット１４４を取り出して、紙幣が収納された当該紙幣収納カセット１４４を警備会社に運搬することによって行われる。また、紙幣の補充処理を行う際には、警備会社の担当者が補充用の紙幣が収納された紙幣収納カセット１４４を警備会社から店舗に運搬し、この紙幣収納カセット１４４を紙幣入出金装置１００の筐体１２に新たに装填する。その後、装填された紙幣カセット１４４から紙幣が１枚ずつ繰り出され、紙幣搬送部１３０によって紙幣が搬送される間に紙幣識別部１３１により金種、真偽などの識別が成された上で一旦紙幣一時保留部１４２に保留される。そして、全ての補充紙幣の金種と数量が確認された後に、紙幣一時保留部１４２から再度紙幣が繰り出されて紙幣金種別収納庫１４０に振り分けられることにより、紙幣が紙幣入出金装置１００に補充される。
【００７７】
（硬貨入出金装置の動作）
次に、上述のような構成からなる硬貨入出金装置２００の動作について以下に説明する。なお、以下に示す硬貨入出金装置２００の動作は、硬貨制御部２７０が硬貨入出金装置２００の各構成要素を制御することにより行われる。
【００７８】
まず、硬貨入出金装置２００における硬貨の入金処理（補充処理を含む）の動作について説明する。
【００７９】
操作者によって硬貨筐体２１２の上面２１２ｂに設けられた投入口２２０に硬貨が投入されると、この硬貨は硬貨供給ホッパ２２２に集積される。そして、硬貨供給ホッパ２２２から硬貨繰出ホッパ２２４に硬貨が送られ、この硬貨繰出ホッパ２２４から入金硬貨搬送部２２６に硬貨が１枚ずつ繰り出される。硬貨繰出ホッパ２２４により入金硬貨搬送部２２６に繰り出された硬貨は入金硬貨識別部２２７によりその金種、正損、真偽などの識別が行われる。ここで、入金硬貨識別部２２７によりリジェクト硬貨であると識別された硬貨や、入金硬貨識別部２２７により識別することができなかった硬貨は、入金硬貨リジェクト選別部２２６ｈにより入金硬貨搬送部２２６から入金硬貨リジェクトシュートに送られ、この入金硬貨リジェクトシュートから入金硬貨リジェクト部に硬貨が自重による落下によって送られる。入金硬貨リジェクト部に集積された硬貨は、操作者により硬貨筐体２１２の前面２１２ａから取り出されることとなる。
【００８０】
一方、入金硬貨識別部２２７により正常な硬貨であると識別された硬貨は、当該硬貨の金種に応じて、対応する各硬貨選別部２２６ａ〜２２６ｅにより入金硬貨搬送部２２６からそれぞれの入金硬貨シュート２２８に送られる。なお、入金硬貨識別部２２７により識別された硬貨が５００円硬貨である場合には、この硬貨は、入金硬貨搬送部２２６の下流側端部に設けられた５００円硬貨用開口２２６ｇに送られ、この５００円硬貨用開口２２６ｇに対応する入金硬貨シュート２２８に送られる。
【００８１】
その後、各入金硬貨シュート２２８から入金硬貨一時保留部２３０に硬貨が金種別に送られて、入金硬貨一時保留部２３０で硬貨が金種別に一時的に保留されることとなる。その後、入金硬貨の返却の指示がなされた場合には、入金硬貨一時保留部２３０は第１の位置ａから第３の位置ｃに移動する。そして、入金硬貨一時保留部２３０から、各金種の硬貨が、入金返却部用シュート２３４を介して入金硬貨返却部２３２に送られる。その後、操作者が入金硬貨返却部２３２を硬貨筐体２１２の前面２１２ａから手前側に引き出すことにより、操作者は入金硬貨返却部２３２に金種別に収納された硬貨を取り出すことができるようになる。
【００８２】
また、入金硬貨一時保留部２３０に硬貨が金種別に一時的に保留された状態で、入金硬貨の入金確定の指示がなされた場合には、入金硬貨一時保留部２３０は第１の位置ａから第２の位置ｂに移動する。そして、入金硬貨一時保留部２３０から、各金種の硬貨が、硬貨収納繰出部用シュート３６を介して各硬貨収納繰出部２４０に金種別に収納される。このようにして、硬貨入出金装置２００における硬貨の入金処理が終了する。
【００８３】
次に、硬貨入出金装置２００における硬貨の出金処理（回収処理を含む）の動作について説明する。
【００８４】
硬貨の出金処理を行う場合、初期状態において施錠部２５５により硬貨出金部２５４は施錠されている。すなわち、操作者は硬貨出金部２５４を硬貨筐体２１２から引き出すことができないようになっている。
【００８５】
そして、各硬貨収納繰出部２４０において、硬貨収納部分２４０ａに収納された硬貨が第１の搬送ベルト２４４により上方に１枚ずつ搬送され、この第１の搬送ベルト２４４から第２の搬送ベルト２４６に硬貨が受け渡される。そして、第２の搬送ベルト２４６に受け渡された硬貨は、この第２の搬送ベルト２４６に対向する案内部材の表面上で摺動するよう第２の搬送ベルト２４６により上方に搬送される。この際に、出金硬貨識別部２４８により硬貨の金種、正損、真偽などの識別が行われる。そして、第２の搬送ベルト２４６により上方に搬送された硬貨は繰出シュート２４７に送られ、この繰出シュート２４７により各硬貨収納繰出部２４０から繰り出されることとなる。
【００８６】
その後、繰出シュート２４７により各硬貨収納繰出部２４０の外部に繰り出された硬貨は、施錠部２５５により施錠された硬貨出金部２５４に直接的に送られ、この硬貨出金部２５４に硬貨が金種別に収容される。ここで、硬貨出金部２５４が施錠部２５５により施錠され、操作者はすぐにこの硬貨出金部２５４を取り出すことができないようになっている。
【００８７】
そして、出金処理が行われるべき金種毎の枚数の硬貨が硬貨収納繰出部２４０から繰り出されて硬貨出金部２５４に送られた後、硬貨の出金が正常に行われたか否かの判断が硬貨制御部２７０において行われる。なお、硬貨の出金が正常に行われたか否かの判断は、例えば硬貨収納繰出部２４０に設けられた出金硬貨識別部２４８による硬貨の識別結果などに基づいて行われる。
【００８８】
硬貨制御部２７０において硬貨の出金が正常に行われたと判断されたときには、硬貨制御部２７０が施錠部２５５を制御して、硬貨出金部２５４の施錠を解除させる。また、ターミナル装置１０の表示画面１１に、硬貨出金部２５４の引き出しの案内を表示させる。その後、操作者が硬貨出金部２５４を硬貨筐体２１２の前面２１２ａから手前側に引き出すことにより、操作者は硬貨出金部２５４に金種別に収容された硬貨を取り出すことができるようになる。そして、操作者により硬貨出金部２５４が硬貨筐体２１２の内部に再セットされると、硬貨入出金装置２００における硬貨の出金処理が終了する。
【００８９】
（棒金投出装置の動作）
【００９０】
次に、上述のような構成からなる棒金投出装置の動作について以下に説明する。なお、以下に示す棒金投出装置の動作は、棒金制御部３７０が棒金投出装置の各構成要素を制御することにより行われる。
【００９１】
まず、棒金投出装置における棒金の補充処理（装填処理）について説明する。
【００９２】
まず、警備会社の担当者によって、棒金筐体３２５の後面に設けられた開閉扉３２１の施錠部が開けられる。次に、当該開閉扉３２１が開けられて、補充すべき金種を収納した棒金収納トレー３４０が引き出される。その後、当該棒金収納トレー３４０に補充すべき金種からなる棒金が警備会社の担当者によって補充される。また、このような態様に限らず、例えば警備会社の担当者が棒金収納トレー３４０を引き抜いた後に、補充すべき数の棒金が既に収納された別の棒金収納トレー３４０を棒金筐体３２５内に差し込むことで補充処理を行ってもよい。
【００９３】
このように棒金収納トレー３４０への補充処理が完了すると、次に、センサ移動部３６０によって、一対のセンサ基板３１３が棒金収納トレー３４０の延在する方向に沿って走査される。このように一対のセンサ基板３１３が走査されることで、孔センサ３１１と径センサ３１２の両方が棒金収納トレー３４０に沿って走査されて、棒金収納トレー３４０に収納された棒金の金種別の数量が検出されることとなる。
【００９４】
この際、棒金制御部３７０は、ロータリーエンコーダ３６４によるセンサ駆動部３６３の駆動軸（図示せず）の回転量の検知結果によって、孔センサ３１１および径センサ３１２の位置を認識するとともに、棒金の硬貨について孔が有るかどうかと、棒金の硬貨の径を判断する。この結果、棒金制御部３７０は、棒金収納トレー３４０に収納された棒金の金種別の数量を認識する。なお、センサ３１１，３１２による検知は、全ての金種に対して行われてもよいし、新たに棒金の補充された金種についてのみ行われてもよい。
【００９５】
このように、棒金制御部３７０によって、棒金収納トレー３４０に収納された棒金の金種別の数量が認識されると、次に、孔センサ３１１および径センサ３１２で確認された棒金の金種別の数量が、ターミナル装置１０の表示画面１１に表示される。また、サーマルプリンタ２０または認証プリンタ３０によって、孔センサ３１１および径センサ３１２で確認された棒金の金種別の数量が紙媒体に印字される。
【００９６】
その後、所定の時間が経過すると、棒金制御部３７０からの指示に従って、棒金の補充処理が終了される。
【００９７】
本実施の形態によれば、上記のように、店舗側の責任者の立会いがなくても警備会社の担当者のみで棒金収納トレー３４０に棒金を補充することができる。また、本実施の形態では、棒金収納トレー３４０に棒金が補充された後に棒金の金種別の数量が確認され、確認された棒金の金種別の数量が出力されるので、警備会社の担当者が棒金の過不足を把握することができる。このため、棒金を補充する段階で、補充されるべき棒金の過不足を無くすことができる。
【００９８】
また、本実施の形態によれば、補充された後の棒金の金種別の数量が、ターミナル装置１０の表示画面１１に表示されるとともに、サーマルプリンタ２０または認証プリンタ３０によって紙媒体に印字される。このため、警備会社の担当者は、表示画面１１で確認することができるだけでなく、補充後の棒金の金種別の数量の印字された紙媒体を証拠として保持することができる。
【００９９】
なお、本実施の形態では、補充された後の棒金の金種別の総数量を表示したり印字したりする態様を用いて説明しているが、これに限られることはなく、補充された後の棒金の金種別の総数量から補充前の棒金の金種別の総数量を引くことで、実際に補充された棒金の金種別の数量を表示したり印字したりする態様であってもよい。
【０１００】
また、本実施の形態では、ターミナル装置１０の送受信部１６によって、棒金検知装置３１０で確認された棒金の金種別の数量が、店舗の本部などに設置された上位機器および警備会社に設けられたコンピュータなどに送信される。このため、店舗の本部と警備会社の両方において、補充された後の棒金の金種別の数量を確認することができる。
【０１０１】
また、本実施の形態では、棒金検知装置３１０で確認された棒金の金種別の数量について、表示画面１１で表示し、かつ、サーマルプリンタ２０または認証プリンタ３０で印字出力しないと、棒金制御部３７０が棒金の補充処理を終了させない。このため、警備会社の担当者が、補充された後の棒金の金種別の数量の確認を怠ることを未然に防止することができ、棒金を補充する段階で、補充すべき棒金の金種別の数量に関して過不足をより確実に無くすことができる。
【０１０２】
次に、棒金投出装置における棒金の出金処理について説明する。
【０１０３】
まず、ターミナル装置１０の操作部１２によって、出金する棒金の金種が指定される。次に、ターミナル装置１０のターミナル制御部１５からの信号を受けて、棒金制御部３７０によって、棒金搬送駆動部３３３が駆動されて、棒金搬送箱移動部３３０によって棒金搬送箱３５１が上下方向に移動され始め、出金するよう指定された金種からなる棒金を収納した棒金収納トレー３４０の前で棒金搬送箱３５１が停止される。
【０１０４】
次に、投出部材３５０が反時計回りに回転駆動される。この結果、投出部材３５０が、棒金収納トレー３４０の前端の中央部分に設けられた開口部を通過して、最も前方に位置する棒金をすくい上げ、当該棒金が棒金収納トレー３４０から棒金搬送箱３５１に取り込まれる。
【０１０５】
この動作が、出金すべき本数の棒金が棒金搬送箱３５１に取り込まれるまで繰り返し行われる。また、複数の金種の棒金を出金する場合には、別の金種の棒金についても同様の動作が繰り返し行われる。このようにして全ての金種について出金すべき棒金が棒金搬送箱３５１に取り込まれると、棒金搬送箱３５１が最上部（図８の破線で示された位置）まで移動されて、シャッター機構３２２が開かれ、棒金の投出が行われる。
【０１０６】
（変形例１）
上記では、棒金収納トレー３４０内の棒金の金種別の数量を検知する棒金検知装置３１０が補充量確認部を構成する態様を用いて説明したが、これに限られることはない。
【０１０７】
例えば、紙幣繰出機構（貨幣操出部）１２１で繰り出された紙幣を金種別に計数し、紙幣収納部の紙幣金種別収納庫１４０に補充された紙幣の金種別の数量を確認する紙幣識別部１３１が補充量確認部を構成してもよい。
【０１０８】
この場合には、上述のように、紙幣収納カセット１４４を紙幣入出金装置１００の筐体１２に新たに装填することにより、紙幣が紙幣入出金装置１００に補充される態様とは異なり、入金処理と同様の動作によって紙幣の補充が行われることになる。
【０１０９】
紙幣が補充される際の動作について以下説明する。
【０１１０】
まず、警備会社の担当者がターミナル装置１０の操作部１２によって紙幣の補充処理を行う旨の入力を行う。このとき、紙幣入出金装置１００における紙幣入出金口１２０のシャッター機構１２２が開かれ、警備会社の担当者は、紙幣を紙幣入出金口１２０に投入する。そして、シャッター機構１２２が閉じられると、紙幣入出金口１２０に投入された紙幣は紙幣繰出機構１２１により１枚ずつ紙幣搬送部１３０に繰り出される。紙幣繰出機構１２１により紙幣搬送部１３０に繰り出された紙幣は当該紙幣搬送部１３０により搬送され、紙幣識別部１３１によりその金種や正損、真偽などの識別が行われる。この際には、紙幣識別部１３１により紙幣の金種別の数量も計数される。紙幣識別部１３１により正常な紙幣ではないリジェクト紙幣であると識別された紙幣や、紙幣識別部１３１により識別することができなかった紙幣は、紙幣搬送部１３０から入金紙幣リジェクト部１２４に送られ、この入金紙幣リジェクト部１２４に集積される。一方、紙幣識別部１３１により正常な紙幣であると識別された紙幣は、紙幣一時保留部１４２に搬送され、この紙幣一時保留部１４２に積層状態で一時的に保留される。
【０１１１】
その後、紙幣入出金口１２０から紙幣一時保留部１４２または入金紙幣リジェクト部１２４に紙幣が全て送られると、ターミナル装置１０の表示画面１１にその旨が表示される。そして、警備会社の担当者が操作部１２により紙幣制御部１７０に対して補充確定の指示を送ると、紙幣一時保留部１４２に一時的に保留された紙幣は１枚ずつ紙幣搬送部１３０に繰り出され、紙幣識別部１３１により識別が行われた後、金種別に各紙幣金種別収納庫１４０や紙幣収納カセット１４４に送られる。このように、紙幣一時保留部１４２から各紙幣金種別収納庫１４０や紙幣収納カセット１４４に紙幣が全て送られると、補充された紙幣の金種別の数量が、ターミナル装置１０の表示画面１１に表示される。また、サーマルプリンタ２０または認証プリンタ３０によって、補充された紙幣の金種別の数量が紙媒体に印字される。
【０１１２】
その後、所定の時間が経過すると、紙幣制御部１７０からの指示に従って、紙幣の補充処理が終了される。
【０１１３】
本変形例によっても、上記の第１の実施の形態と同様の効果を奏することができる。すなわち、本変形例によれば、上記のように、店舗側の責任者の立会いがなくても警備会社の担当者のみで紙幣金種別収納庫１４０に紙幣を補充することができる。また、本実施の形態では、紙幣金種別収納庫１４０に紙幣が補充される際に紙幣の金種別の数量が確認され、確認された紙幣の金種別の数量が出力されるので、警備会社の担当者が補充紙幣の過不足を把握することができる。このため、紙幣を補充する段階で、補充されるべき紙幣の過不足を無くすことができる。
【０１１４】
また、本変形例によれば、補充された紙幣の金種別の数量が、ターミナル装置１０の表示画面１１に表示されるとともに、サーマルプリンタ２０または認証プリンタ３０によって紙媒体に印字される。このため、警備会社の担当者は、表示画面１１で確認することができるだけでなく、補充後の紙幣の金種別の数量の印字された紙媒体を証拠として保持することができる。
【０１１５】
また、本変形例では、ターミナル装置１０の送受信部１６によって、紙幣識別部１３１で確認された紙幣の金種別の数量が、店舗の本部などに設置された上位機器および警備会社に設けられたコンピュータに送信される。このため、店舗の本部と警備会社の両方において、補充された後の紙幣の金種別の数量を確認することができる。
【０１１６】
また、本変形例では、紙幣識別部１３１で確認された紙幣の金種別の数量について、表示画面１１で表示し、かつ、サーマルプリンタ２０または認証プリンタ３０で印字出力しないと、紙幣制御部１７０が紙幣の補充処理を終了させない。このため、警備会社の担当者が、補充された後の紙幣の金種別の数量の確認を怠ることを未然に防止することができ、紙幣を補充する段階で、補充すべき紙幣の金種別の数量に関して過不足をより確実に無くすことができる。
【０１１７】
（変形例２）
また、異なる変形例として、例えば、硬貨繰出ホッパ（貨幣操出部）２２４で繰り出された硬貨を金種別に計数し、硬貨収納部２４０に補充された硬貨の金種別の数量を確認する入金硬貨識別部２２７が補充量確認部を構成してもよい。
【０１１８】
より具体的には、まず、警備会社の担当者がターミナル装置１０の操作部１２によって硬貨の補充処理を行う旨の入力を行う。次に、警備会社の担当者によって硬貨筐体２１２の上面２１２ｂに設けられた投入口２２０に硬貨が投入され、この硬貨が硬貨供給ホッパ２２２に集積される。そして、硬貨供給ホッパ２２２から硬貨繰出ホッパ２２４に硬貨が送られ、この硬貨繰出ホッパ２２４から入金硬貨搬送部２２６に硬貨が１枚ずつ繰り出される。硬貨繰出ホッパ２２４により入金硬貨搬送部２２６に繰り出された硬貨は入金硬貨識別部２２７によりその金種、正損、真偽などの識別が行われる。この際には、入金硬貨識別部２２７により硬貨の金種別の数量も計数される。ここで、入金硬貨識別部２２７によりリジェクト硬貨であると識別された硬貨や、入金硬貨識別部２２７により識別することができなかった硬貨は、入金硬貨リジェクト選別部２２６ｈにより入金硬貨搬送部２２６から入金硬貨リジェクトシュートに送られ、この入金硬貨リジェクトシュートから入金硬貨リジェクト部に硬貨が自重による落下によって送られる。入金硬貨リジェクト部に集積された硬貨は、警備会社の担当者により硬貨筐体２１２の前面２１２ａから取り出されることとなる。
【０１１９】
一方、入金硬貨識別部２２７により正常な硬貨であると識別された硬貨は、当該硬貨の金種に応じて、対応する各硬貨選別部２２６ａ〜２２６ｅにより入金硬貨搬送部２２６からそれぞれの入金硬貨シュート２２８に送られる。なお、入金硬貨識別部２２７により識別された硬貨が５００円硬貨である場合には、この硬貨は、入金硬貨搬送部２２６の下流側端部に設けられた５００円硬貨用開口２２６ｇに送られ、この５００円硬貨用開口２２６ｇに対応する入金硬貨シュート２２８に送られる。
【０１２０】
その後、各入金硬貨シュート２２８から入金硬貨一時保留部２３０に硬貨が金種別に送られて、入金硬貨一時保留部２３０で硬貨が金種別に一時的に保留されることとなる。その後、補充硬貨の返却の指示がなされた場合には、入金硬貨一時保留部２３０は第１の位置ａから第３の位置ｃに移動する。そして、入金硬貨一時保留部２３０から、各金種の硬貨が、入金返却部用シュート２３４を介して入金硬貨返却部２３２に送られる。その後、警備会社の担当者が入金硬貨返却部２３２を硬貨筐体２１２の前面２１２ａから手前側に引き出すことにより、警備会社の担当者は入金硬貨返却部２３２に金種別に収納された硬貨を取り出すことができるようになる。
【０１２１】
また、入金硬貨一時保留部２３０に硬貨が金種別に一時的に保留された状態で、補充硬貨の確定の指示がなされた場合には、入金硬貨一時保留部２３０は第１の位置ａから第２の位置ｂに移動する。そして、入金硬貨一時保留部２３０から、各金種の硬貨が、硬貨収納繰出部用シュート３６を介して各硬貨収納繰出部２４０に金種別に収納される。このように硬貨が各硬貨収納繰出部２４０に金種別に収納されると、補充された硬貨の金種別の数量が、ターミナル装置１０の表示画面１１に表示される。また、サーマルプリンタ２０または認証プリンタ３０によって、補充された硬貨の金種別の数量が紙媒体に印字される。
【０１２２】
その後、所定の時間が経過すると、硬貨制御部２７０からの指示に従って、硬貨の補充処理が終了される。
【０１２３】
本変形例よっても、上記の第１の実施の形態および第１の実施の形態の変形例１と同様の効果を奏することができる。すなわち、本変形例によれば、上記のように、店舗側の責任者の立会いがなくても警備会社の担当者のみで硬貨収納部２４０に硬貨を補充することができる。また、本実施の形態では、硬貨収納部２４０に硬貨が補充される際に硬貨の金種別の数量が確認され、確認された硬貨の金種別の数量が出力されるので、警備会社の担当者が補充硬貨の過不足を把握することができる。このため、硬貨を補充する段階で、補充されるべき硬貨の過不足を無くすことができる。
【０１２４】
また、本実施の形態によれば、補充された硬貨の金種別の数量が、ターミナル装置１０の表示画面１１に表示されるとともに、サーマルプリンタ２０または認証プリンタ３０によって紙媒体に印字される。このため、警備会社の担当者は、表示画面１１で確認することができるだけでなく、補充後の硬貨の金種別の数量の印字された紙媒体を証拠として保持することができる。
【０１２５】
また、本変形例では、ターミナル装置１０の送受信部１６によって、入金硬貨識別部２２７で確認された硬貨の金種別の数量が、店舗の本部などに設置された上位機器および警備会社に設けられたコンピュータに送信される。このため、店舗の本部と警備会社の両方において、補充された後の硬貨の金種別の数量を確認することができる。
【０１２６】
また、本変形例では、入金硬貨識別部２２７で確認された硬貨の金種別の数量について、表示画面１１で表示し、かつ、サーマルプリンタ２０または認証プリンタ３０で印字出力しないと、硬貨制御部２７０が硬貨の補充処理を終了させない。このため、警備会社の担当者が、補充された後の硬貨の金種別の数量の確認を怠ることを未然に防止することができ、硬貨を補充する段階で、補充されるべき硬貨の過不足をより確実に無くすことができる。
【０１２７】
なお、上記では、第１の実施の形態、第１の実施の形態の変形例１および第１の実施の形態の変形例２を別個に説明したが、これら第１の実施の形態、第１の実施の形態の変形例１および第１の実施の形態の変形例２を任意組合せ、あるいは、全て組合せてもよい。
【０１２８】
第２の実施の形態
次に、図１１により、本発明の第２の実施の形態について説明する。
【０１２９】
図１１に示すように、第２の実施の形態は、補充量確認部１３１，２２７，３１０で確認された貨幣の金種別の数量と、第三者である警備会社へ依頼した補充予定の貨幣の金種別の数量とが合致するかを確認する照合部４１０が設けられた態様からなっている。
【０１３０】
なお、本実施の形態における補充量確認部１３１，２２７，３１０は、第１の実施の形態のように棒金検知装置３１０から構成されてもよいし、第１の実施の形態の変形例１のように紙幣識別部１３１から構成されてもよいし、第１の実施の形態の変形例２のように入金硬貨識別部２２７から構成されてもよい。このため、本実施の形態では、補充量確認部について「１３１，２２７，３１０」という符号を用い、確認される対象を「貨幣」（硬貨（棒金を含む）および紙幣）として示す。また、本実施の形態では、硬貨制御部１７０、紙幣制御部２７０、棒金制御部３７０を総称して制御部１７０，２７０，３７０として示す。
【０１３１】
図１１に示すように、本実施の形態の照合部４１０には、制御部１７０，２７０，３７０を介して、補充量確認部１３１，２２７，３１０と、店舗が警備会社へ依頼した補充予定の貨幣の金種別の数量を記憶した記憶部４２０が接続されている。そして、照合部４１０は、記憶部４２０に記憶された補充予定の貨幣の金種別の数量を読み出すとともに、読み出した補充予定の貨幣の金種別の数量と、補充量確認部１３１，２２７，３１０によって確認された貨幣の金種別の数量とが合致するかを照合する。なお、補充予定の貨幣の金種別の数量に関する情報は、店舗の本部などに設置された上位機器からターミナル装置１０の送受信部１６に送られ、その後、記憶部４２０に記憶されることとなる。
【０１３２】
また、照合部４１０には、制御部１７０，２７０，３７０とターミナル制御部１５を介して表示画面１１が接続されており、照合結果が表示画面１１に表示されるようになっている。また、ターミナル装置１０の送受信部１６は、照合結果を、店舗の本部などに設置された上位機器および警備会社に設けられたコンピュータなどに送信するようになっている。さらに、照合結果は、サーマルプリンタ２０または認証プリンタ３０などの印字部で印字出力されるようにもなっている。
【０１３３】
また、補充量確認部１３１，２２７，３１０で確認された貨幣の金種別の数量と補充予定の貨幣の金種別の数量とが合致しないときには、補充量確認部１３１，２２７，３１０で確認された貨幣の金種別の数量と補充予定の貨幣の金種別の数量との差異が、ターミナル装置１０の表示画面１１に表示される。また、当該差異は、ターミナル装置１０の送受信部１６によって、上位機器および警備会社に設けられたコンピュータなどに送信される。さらに、当該差異は、サーマルプリンタ２０または認証プリンタ３０などの印字部で印字出力される。
【０１３４】
また、制御部１７０，２７０，３７０には、例えば１週間、１ヶ月などの所定期間内の上記差異（補充量確認部１３１，２２７，３１０で確認された貨幣の金種別の数量と補充予定の貨幣の金種別の数量との差異）を集計する集計部４３０が接続されている。このように集計部４３０で集計された集計結果は、記憶部４２０に送られて当該記憶部４２０で記憶される。
【０１３５】
第２の実施の形態において、その他の構成は、第１の実施の形態、第１の実施の形態の変形例１または第１の実施の形態の変形例２と略同一の態様となっている。図１１に示す第２の実施の形態において、第１の実施の形態、第１の実施の形態の変形例１および第１の実施の形態の変形例２と同一部分には同一符号を付して詳細な説明は省略する。
【０１３６】
本実施の形態によれば、補充予定の貨幣の金種別の数量と、補充量確認部１３１，２２７，３１０によって確認された貨幣の金種別の数量とが合致するかを照合するので、警備会社の担当者が予定されていた貨幣の金種別の数量だけ実際に補充されたかを確認することができる。
【０１３７】
また、補充予定の貨幣の金種別の数量と補充量確認部１３１，２２７，３１０によって確認された貨幣の金種別の数量とが合致していたか否かが、表示画面１１に表示され、また、サーマルプリンタ２０または認証プリンタ３０などの印字部で印字出力される。このため、警備会社の担当者は自己が行った補充が予定されていた内容に合致しているかを容易に確認することができる。また、照合結果は、店舗の本部などに設置された上位機器と警備会社に設けられたコンピュータに送信されるので、店舗の本部と警備会社の両方において、予定されていた内容に合致された補充が行われたかを確認することができる。
【０１３８】
さらに本実施の形態では、補充量確認部１３１，２２７，３１０で確認された貨幣の金種別の数量と補充予定の貨幣の金種別の数量とが合致しないときには、補充量確認部１３１，２２７，３１０で確認された貨幣の金種別の数量と補充予定の貨幣の金種別の数量との「差異」が、具体的に、ターミナル装置１０の表示画面１１に表示され、また、サーマルプリンタ２０または認証プリンタ３０などの印字部で印字出力される。このため、警備会社の担当者は、自己が行った補充が予定されていた内容と比較して、どれだけ不足していたのか、または、どれだけ過剰であったのかを把握することができる。このため、警備会社の担当者は、容易に、不足する分だけ貨幣の補充を再度行ったり、または、過剰な分だけ貨幣を出金したりすることができる。この結果、貨幣入出金装置に補充予定と合致した貨幣の金種別の数量を確実に補充することができる。
【０１３９】
ところで、貨幣入出金装置は、補充量確認部１３１，２２７，３１０で確認された貨幣の合計金額が補充予定の貨幣の合計金額より多いときには、補充量確認部１３１，２２７，３１０で確認された貨幣の合計金額から補充予定の貨幣の合計金額を引いた金額の貨幣を自動的に出金するようにしてもよい。このような構成にすることで、補充量確認部１３１，２２７，３１０で確認された貨幣の合計金額が補充予定の貨幣の合計金額より多いときには、警備会社の担当者が補充量確認部１３１，２２７，３１０で確認された貨幣の金種別の数量と補充予定の貨幣の金種別の数量とが合致しているかを判断するまでもなく、補充予定と合致した金種別の数量からなる貨幣を貨幣入出金装置に確実に補充することができる。
【０１４０】
また、貨幣入出金装置は、補充量確認部１３１，２２７，３１０で確認された貨幣の合計金額が補充予定の貨幣の合計金額より少ないときには、補充予定の貨幣の合計金額から補充量確認部１３１，２２７，３１０で確認された貨幣の合計金額を引いた金額の貨幣を補充可能とするように構成されてもよい。この点、第１の実施の形態の変形例１および変形例２のように硬貨や紙幣を補充する場合であれば、不足分だけの硬貨や紙幣の補充を受け付けて例え余分な硬貨や紙幣が投入されても入金を受けつけずにリジェクトするようにすればよい。このような構成にすることで、第１の実施の形態の変形例１および変形例２のように硬貨や紙幣を補充する場合においては、警備会社の担当者が不足分を判断するまでもなく、多めに硬貨や紙幣を補充するだけで貨幣入出金装置に補充予定と合致した硬貨や紙幣の金種別の数量を補充することができる。
【０１４１】
また、本実施の形態では、所定期間内の補充量確認部１３１，２２７，３１０で確認された貨幣の金種別の数量と補充予定の貨幣の金種別の数量との差異が集計部４３０で集計されて、記憶部４２０で記憶されている。このため、１週間や１ヶ月といった所定期間を通して、実際に補充された金種別の数量を補充予定の貨幣の金種別の数量に合致させることもできる。例えば、補充を行った日に１０円棒金が１本不足し、１００円のバラの硬貨が２５枚不足し、１０００円の紙幣が６枚不足した場合であっても、１週間や１ヶ月以内に、１０円棒金を１本余分に補充し、１００円のバラの硬貨を２５枚余分に補充し、１０００円の紙幣を６枚余分に補充するなどすればよい。このように本実施の形態によれば、例え補充を行った当日に不足する貨幣を持ち合わせていなくても、後日に補充することができるので、状況に応じた柔軟な運用を行うことができる。
【０１４２】
（変形例１）
上記では、照合部４１０が、店舗が警備会社へ依頼した補充予定の貨幣の金種別の数量を基準に、補充された貨幣の金種別の数量が合致するかを確認する態様を用いて説明したが、これに限られることはない。
【０１４３】
例えば、照合部４１０が、補充量確認部１３１，２２７，３１０で確認された貨幣の金種別の数量と、第三者である警備会社が依頼された補充予定の貨幣の金種別の数量とが合致するかを確認する態様であってもよい。上記の第２の実施の形態では、補充予定の貨幣の金種別の数量に関する情報は、店舗の本部に設置された上位機器からターミナル装置１０の送受信部１６に送られていたが、このように警備会社が依頼された補充予定の貨幣の金種別の数量を用いる場合には、補充予定の貨幣の金種別の数量に関する情報は、警備会社のコンピュータからターミナル装置１０の送受信部１６に送られてもよいし、持ち運び可能なＣＤ、ＵＳＢメモリーなどの記憶媒体に記憶されてもよい。
【０１４４】
なお、補充予定の貨幣の金種別の数量に関する情報が記憶媒体に記憶されている態様では、ターミナル装置１０に記憶媒体を受け入れるための受入部（例えば、ＣＤドライブ、ＵＳＢコネクタなど）が設けられており、当該受入部に記憶媒体を入れたり差し込んだりすることで、照合部４１０は、補充量確認部１３１，２２７，３１０で確認された貨幣の金種別の数量と、警備会社が依頼された補充予定の貨幣の金種別の数量とが合致するかを確認することができる。
【０１４５】
重複した記載になるため省略するが、上述したような第２の実施の形態の変形例１によっても、当然、上記の第２の実施の形態と同様の効果を奏することができる。
【０１４６】
（変形例２）
また、異なる変形例として、例えば、記憶部４２０が、補充日に応じて予め定められた補充予定の貨幣の金種別の数量を記憶していてもよい。ここで「補充日に応じて」定められているというのは、金曜日や祝日前であるのかといった曜日に関する情報に基づいて定められている場合や、月末や給料日であるといった月間のうちのいつにあたるのかという情報に基づいて定められている場合や、ゴールデンウイーク前や年末であるといった年間うちのいつにあたるのかという情報に基づいて定められている場合などを、例として挙げることができる。なお、この「補充日に応じて予め定められた補充予定の貨幣の金種別の数量」というのは、過去の履歴から、ターミナル装置１０や制御部１７０，２７０，３７０が自動的に判断して算出してもよい。
【０１４７】
本変形例によれば、店舗の担当者が、補充すべき貨幣の金種別の数量を判断することなく、適切な貨幣の金種別の数量が自動的に与えられ、その貨幣の金種別の数量に基づいた貨幣が実際に補充される。このため、店舗の担当者の負担を軽くすることができるだけでなく、店舗の担当者の判断ミスによって不適切な数量の貨幣が補充されることを防止することができる。
【０１４８】
重複した記載になるため省略するが、上述したような第２の実施の形態の変形例２によっても、当然、上記の第２の実施の形態と同様の効果を奏することができる。
【符号の説明】
【０１４９】
１０        ターミナル装置
１１        表示画面（表示部）
１２        操作部
１５        ターミナル制御部
１６        送受信部
２０        サーマルプリンタ
３０        認証プリンタ
１００      紙幣入出金装置
１２０      紙幣入出金口
１２１      紙幣繰出機構
１３０      紙幣搬送部
１３１      紙幣識別部
１４０      紙幣金種別収納庫
１４１、１４３、１４５  紙幣繰出機構
１７０      紙幣制御部
２００      硬貨入出金装置
２２２      硬貨供給ホッパ
２２４      硬貨繰出ホッパ
２２６      入金硬貨搬送部
２２７      入金硬貨識別部
２４０      硬貨収納部
２４４      第１の搬送ベルト
２４６      第２の搬送ベルト
２４８      出金硬貨識別部
２５４      硬貨出金部
２７０      硬貨制御部
３００      棒金投出装置
３１０      棒金検知装置
３１１      孔センサ
３１２      径センサ
３２０      棒金投入口
３２７      棒金出金口
３４０      棒金収納トレー
３３０      棒金搬送箱移動部
３５０      投出部材
３５１      棒金搬送箱
３６０      センサ移動部
３７０      棒金制御部
４１０      照合部
４２０      記憶部
４３０      集計部
【図１】
0005646296.tif 000002
【図２】
0005646296.tif 000003
【図３】
0005646296.tif 000004
【図４】
0005646296.tif 000005
【図５】
0005646296.tif 000006
【図６】
0005646296.tif 000007
【図７】
0005646296.tif 000008
【図８】
0005646296.tif 000009
【図９】
0005646296.tif 000010
【図１０】
0005646296.tif 000011
【図１１】
0005646296.tif 000012